(57)【要約】【課題】地震時において比較的弱いトルクでのストッパー部の移動を可能とし、物品の落下を確実に防止できるコンパクトな構造の感震式物品落下防止装置を提供する。【解決手段】左右方向を向く回転軸８と、回転軸８の近傍に位置し直線方向に移動するように案内されたストッパー部９と、回転軸８に回転トルクを与えるウエイト部１０と、回転軸８の回転トルクをストッパー部９に伝達する伝達部１３と、からなるストッパー部材１２が、物品１５を載置する棚板５の前縁に配置されており、地震時における所定の振動でウエイト部１０が回転軸８に回転トルクを与え、この回転トルクが伝達部１３によってストッパー部９に伝達され、棚板５の前縁に位置するストッパー部９が棚板５上面より直線方向上方に突出するようになっている。【選択図】図５
2014068997.tif 000002
【特許請求の範囲】
【請求項１】
左右方向を向く回転軸と、該回転軸の近傍に位置し直線方向に移動するように案内されたストッパー部と、前記回転軸に回転トルクを与えるウエイト部と、前記回転軸の回転トルクを前記ストッパー部に伝達する伝達部と、からなるストッパー部材が、物品を載置する棚板の前縁に配置されており、地震時における所定の振動で前記ウエイト部が前記回転軸に回転トルクを与え、この回転トルクが前記伝達部によってストッパー部に伝達され、前記棚板の前縁に位置するストッパー部が棚板上面より直線方向上方に突出するようになっていることを特徴とする感震式物品落下防止装置。
【請求項２】
前記ストッパー部材におけるストッパー部が、左右方向を向く板状体であり、前記ストッパー部材を支持する筐体に形成された前後１対のガイド部で上下方向に案内されるように遊嵌されていることを特徴とする請求項１に記載の感震式物品落下防止装置。
【請求項３】
前記筐体は、その上面が前記棚板の上面とほぼ面一となるように前記棚板の前縁に配置されていることを特徴とする請求項２に記載の感震式物品落下防止装置。
【請求項４】
前記ストッパー部の上端部を、高摩耗部材で構成したことを特徴とする請求項１ないし３のいずれかに記載の感震式物品落下防止装置。
【発明の詳細な説明】
【技術分野】
【０００１】
本発明は、書架や物品棚等における物品落下防止装置に関し、特に地震時の振動によって作動し、棚板に載置していた書籍や商品等が落下しないようにした感震式物品落下防止装置に関する。
【背景技術】
【０００２】
従来、地震などによる強い揺れによって書架からの書籍の落下を防止するために、感震式の落下防止装置を備える書架が開発されており、例えば特許文献１に示されるような感震式書籍落下防止装置がある。これは左右方向を向く回転軸から離間させて左右方向を向くストッパー部およびウエイトを配設し、地震時の振動によりセットされたウエイトのバランスが崩れることで、ウエイトの重心がストッパー部側から回転軸を挟んで反対側に移動し、自由落下するウエイトによりストッパー部を上方に持ち上げる機構になっており、ストッパー部で前面側に移動しようとする書籍を規制するものである。
【０００３】
また、地震などによる強い揺れによって棚からの物品落下を防止する機構として、類似する物品棚における感震式物品落下防止装置がある（特許文献２）。
【先行技術文献】
【特許文献】
【０００４】
【特許文献１】特許第３６２９９６１号公報（段落［００１５］，［００１６］、第３，４図）
【特許文献２】特開平１１−２０６４９３号公報（段落［００１５］，［００１６］，［００１７］、第４図）
【発明の概要】
【発明が解決しようとする課題】
【０００５】
しかしながら、特許文献１および２にあっては、回転軸と対に配置された自由落下するウエイトを利用して比較的長いアーム（特許文献２では「回動バー」）を有するストッパー部を作動させ、棚の前面側に移動しようとする書籍を規制する技術であるため、地震時にストッパー部を適正な位置まで移動させるには、回転軸とウエイトの重心との間のアームの長さを長くとり所定の回転トルクを得る必要があり、装置は大型化するばかりか、見栄えも良いものではなかった。
【０００６】
地震時における物品落下防止機能を高めるには、ウエイトを回転軸からより遠くへ離しそのアーム長を利用してストッパー部を移動させるための回転トルクを高めるか、もしくはウエイトの重量を増すしかないが、ウエイトを回転軸からより遠くへ離す手段を採用した場合、前述したようにアームの長さが長くなり装置の大型化は免れない。またウエイトの重量を増大させた場合には、地震に対する感震機能が劣ることになる。
【０００７】
本発明は、このような問題点に着目してなされたもので、地震時において比較的弱いトルクでのストッパー部の移動を可能とし、物品の落下を確実に防止できるコンパクトな構造の感震式物品落下防止装置を提供することである。
【課題を解決するための手段】
【０００８】
前記課題を解決するために、本発明の感震式物品落下防止装置は、
左右方向を向く回転軸と、該回転軸の近傍に位置し直線方向に移動するように案内されたストッパー部と、前記回転軸に回転トルクを与えるウエイト部と、前記回転軸の回転トルクを前記ストッパー部に伝達する伝達部と、からなるストッパー部材が、物品を載置する棚板の前縁に配置されており、地震時における所定の振動で前記ウエイト部が前記回転軸に回転トルクを与え、この回転トルクが前記伝達部によってストッパー部に伝達され、前記棚板の前縁に位置するストッパー部が棚板上面より直線方向上方に突出するようになっていることを特徴としている。
この特徴によれば、ストッパー部が、回転軸の近傍から立ち上がり、回転軸の回転トルクを伝達部により直接受けるようにして棚板上面より上方に向けて直線方向に突出する構造になっているため、比較的弱い回転軸の回転トルクであってもストッパー部の十分な移動が可能となり、物品の落下を確実に防止できることになる。特にストッパー部がアームなどの回転構造を採用しない構造であるため、コンパクトな構造の感震式物品落下防止装置を提供することができることになる。
【０００９】
本発明の感震式物品落下防止装置は、
前記ストッパー部材におけるストッパー部が、左右方向を向く板状体であり、前記ストッパー部材を支持する筐体に形成された前後１対のガイド部で上下方向に案内されるように遊嵌されていることを特徴としている。
この特徴によれば、ストッパー部材を支持する筐体内には、回転軸、ストッパー部、ウエイト部、伝達部、さらにはストッパー部を案内するガイド部が収納されているため、ストッパー部材のユニット化が可能となり、取り扱いが容易となる。
【００１０】
本発明の感震式物品落下防止装置は、
前記筐体は、その上面が前記棚板の上面とほぼ面一となるように前記棚板の前縁に配置されていることを特徴としている。
この特徴によれば、前記ストッパー部材の筐体上面が前記棚板の上面とほぼ面一となるため、棚板に物品の出し入れに際し、前記筐体が邪魔にならず、かつ前記筐体を棚板の一部としても利用できることになる。
【００１１】
本発明の感震式物品落下防止装置は、
前記ストッパー部の上端部を、高摩耗部材で構成したことを特徴としている。
この特徴によれば、例え何らかの原因で、感震時に棚板上面における効果的な位置まで前記ストッパー部が突出できなかったとしても、前記ストッパー部の上端部の高摩耗部材で物品の落下を効果的に阻止できることになる。
【図面の簡単な説明】
【００１２】
【図１】実施例１における物品収納棚を示す斜視図である。
【図２】実施例１における落下防止装置を示す斜視図である。
【図３】実施例１における落下防止装置の通常状態を示す側断面図である。
【図４】実施例１における感震によりウエイト部が回転軸に回転トルクを与えた状態を示す側断面図である。
【図５】実施例１におけるストッパー部が棚板上面より直線方向上方に突出した状態を示す側断面図である。
【図６】（ａ）は、実施例１における落下防止装置の変形例を示す側断面図であり、（ｂ）は、（ａ）の状態からストッパー部が棚板上面より直線方向上方に突出した状態を示す側断面図である。
【図７】（ａ）は、実施例２における落下防止装置の通常状態を示す側断面図であり、（ｂ）は、実施例２におけるストッパー部が棚板上面より直線方向上方に突出した状態を示す図である。
【図８】（ａ）は、実施例３における落下防止装置の通常状態を示す側断面図であり、（ｂ）は、実施例３におけるストッパー部が棚板上面より直線方向上方に突出した状態を示す図である。
【発明を実施するための形態】
【００１３】
本発明に係る感震式物品落下防止装置を実施するための形態を実施例に基づいて以下に説明する。
【実施例１】
【００１４】
実施例１に係る感震式物品落下防止装置につき、図１から図５を参照して説明する。図１は、本発明の感震式物品落下防止装置（以下、落下防止装置という）１を装着した書棚としての物品収納棚２の斜視図であり、この物品収納棚２は、左右方向に離間する側板３，３と、各側板３，３の上端部の対向面同士を連結している天板６と、各側板３，３の互いに対向し合う側面に支持された上下複数段の棚板５と、から成っており、側板３，３により棚板５の左右の端部から落下することが防止された状態で各段の棚板５の上面に書籍１５が複数載置されている。また、落下防止装置１は、後述するように各段の棚板５の前面（前縁）に取付けられている。尚、本実施例においては、物品収納棚２を書棚と想定して説明するが、これに限られず、商品を陳列するための什器等でもよい。
【００１５】
後に詳述するが、落下防止装置１は、地震などの衝撃が加わった際に、棚板５の上面より上方にストッパー部９を突出させることで、このような物品収納棚２からの書籍１５の落下を防止する装置である。尚、このような物品収納棚２は、収納効率の観点から一般的に各段の離間距離は書籍１５の上下寸法より若干広く設計されているため、棚板５の上面に載置された書籍１５が前方側に所定角度傾くと、書籍１５の後端側上部の角が直上に位置する棚板５の底面５ａ、若しくは天板６の底面６ａに当接するようになっている。
【００１６】
図２に示されるように、落下防止装置１は、後述する回転軸８、ストッパー部９、ウエイト部１０及び伝達部１３から成るストッパー部材１２と、棚板５の前面に取付けられストッパー部材１２を支持する本発明の筐体である支持部材７と、から主に構成されている。
【００１７】
先ず支持部材７について説明すると、支持部材７は、棚板５の前面に対し図示しないボルト等で取付けられる基板部７ａを備えており、基板部７ａの下端部には、前方に向けて延設される底面部７ｄが略水平に設けられており、底面部７ｄの前端部には、略垂直に延設される前面部７ｅが設けられている。更に、前面部７ｅの上端部には、基板部７ａに向けて所定の長さ延設される上板部７ｆが設けられ、上板部７ｆの後端部には、底面部７ｄに向けて所定の長さ略鉛直に延設される鉛直部７ｇが設けられている。この上板部７ｆが延設される所定の長さは、基板部７ａまで到達しない長さとなっており、鉛直部７ｇが延設される所定の長さは、底面部７ｄまで到達しない長さとなっている。また、後述するように基板部７ａ及び鉛直部７ｇは、本発明における前後１対のガイド部となっている。尚、これ等基板部７ａ、底面部７ｄ、前面部７ｅ、上板部７ｆ及び鉛直部７ｇによって構成される部材は、一枚の金属板を屈曲させることにより形成してもよいし、金型による押出形成等で形成してもよい。また、当該部材の左右方向の両端には、左右方向に貫通する貫通孔７ｃ，７ｃをそれぞれ備えた側板部７ｂ，７ｂがビス４で接続されている。
【００１８】
貫通孔７ｃ，７ｃには、前記回転軸８が左右方向を向いて回転可能に遊嵌されている。尚、回転軸８は、両端部に外方からキャップ４２をそれぞれ嵌合することで左右方向に移動不能になっており、貫通孔７ｃ，７ｃから離脱することが防止されている。
【００１９】
この回転軸８は、前面部７ｅ側に所定の重量を有し長手方向に延びる板状体の前記ウエイト部１０が固着されているとともに、基板部７ａ側に前記伝達部１３が固着されている。尚、このウエイト部１０は、回転軸８の軸方向に所定間隔離間して２つ以上複数設けられるものでもよい。更に、この伝達部１３は、図２に示されるように側面視略鉤状となっており、その端部１３ａは、鉛直部７ｇよりも基板部７ａ側に位置するようになっている。尚、この伝達部１３は、回転軸８の軸方向に所定間隔離間して複数設けられるものでもよい。
【００２０】
また、基板部７ａ及び鉛直部７ｇの間には、前記ストッパー部９が鉛直方向にのみ移動可能に案内された状態で配設されており、ストッパー部９の下端面９ａは、伝達部１３の端部１３ａと当接している。このストッパー部９は、左右方向を向く板状体であるとともに、高摩耗部材で構成され摩擦係数が高くなっている。尚、ストッパー部９は必ずしも高摩耗部材で形成されるものに限らないが、少なくともストッパー部の上端部の摩擦係数が高くなっていることが好ましい。
【００２１】
落下防止装置１の非作動時において、ウエイト部１０は略鉛直方向を向いた状態となっているとともに、所定の重量を有したストッパー部９は、伝達部１３の上部に載置された状態となっている。そして、図３においてウエイト部１０により回転軸８が回動しようとするが、ストッパー部９の重量により回動が抑止されている。したがって、ストッパー部材１２は、非作動時の状態から回転移動しないようにバランスが保たれている。
【００２２】
後述する地震などによりウエイト部１０に対して振動が伝わると、ストッパー部９のバランスが崩れ、ウエイト部１０が回転軸８を中心として前方に倒れこみ、ウエイト１０の重量に基づく回動軸８を回動するトルクが増大し、この倒れこむ動作に連動して回転軸８が回転する。そして、伝達部１３は、回転軸８の回転により、その端部１３ａが上方に向け持ち上がるようになっており、この伝達部１３の端部１３ａに載置されているストッパー部９が上方に押し上げられる構造になっている。尚、ストッパー部９は、基板部７ａ及び鉛直部７ｇに案内されながら鉛直方向に移動する。
【００２３】
続いて、落下防止装置１によって書籍１５の落下が防止される状態を図３から図５を用いて説明する。
【００２４】
図３に示されるように、落下防止装置１の通常状態において、ストッパー部９は、上端面９ｂが棚板５の上面と略水平になるように配置されており、棚板５への書籍１５の出し入れは支障なく行うことができるようになっている。そして、地震等により落下防止装置１に所定以上の振動が伝わると、図４に示されるように、棚板５の上面に載置された複数の書籍１５が棚板５の前方側に向けて移動する。そして、ウエイト部１０が前方側に倒れてウエイト部１０の重心が前方側に変位する。すなわち、略鉛直方向を向いたウエイト部１０が倒れこむ動作に連動して回転軸８が回転することにより、回転軸８が回転トルクを得ることができるようになっている。この回転軸８の回転トルクが伝達部１３を介してストッパー部９に伝わり、ストッパー部９を鉛直方向に押し上げるようになる。
【００２５】
次いで、図５に示されるように、回転軸８は、ウエイト部１０が倒れこみ底面部７ｄに当接することで、それ以上回転しないように規制される。この時点でストッパー部９は棚板５上面より鉛直方向の上方に最大の長さ突出するまで押し上げられるようになっているため、前方側に向けて移動した書籍１５が棚板５の上方に突出したストッパー部９に規制されて、棚板５から落下することが防止される。
【００２６】
尚、上述したように、このような物品収納棚２は、書籍１５が前方側に所定角度傾くと、書籍１５の後端側上部の角が直上に位置する棚板５の底面５ａ、若しくは天板６の底面６ａに当接するようになっているため、図５のように、ストッパー部９がある程度棚板５上面より上方に突出すれば、書籍１５がストッパー部９を支点に回転して落下する慮がない。
【００２７】
また、棚板５の上方に突出したストッパー部９は、管理者がストッパー部９を下方に向けて押し下げることにより、回転軸８が逆回りに回転されて落下防止装置１の非作動状態に戻すことができるようになっている。尚、棚板５の上方に突出したストッパー部９を非作動状態に戻す際には、支持部材７を分割して直接回転軸を操作することで通常状態に戻すようにしてもよい。
【００２８】
以上説明したように、ストッパー部９が回転軸８の回転トルクを伝達部１３により直接受けるようにして棚板５上面より上方に向けて直線方向に突出する構造になっているため、比較的弱い回転軸８の回転トルクであってもストッパー部９の十分な移動が可能となり、書籍１５の落下を確実に防止できることになる。
【００２９】
また、特にストッパー部９がアームなどの回転構造を採用しない構造であるため、コンパクトな構造の落下防止装置１を提供することができることになる。更に、棚板５の前面に取付けられる支持部材７内には、回転軸８、ストッパー部９、ウエイト部１０、伝達部１３、さらにはストッパー部９を案内する基板部７ａ及び鉛直部７ｇが収納されているため、ストッパー部材１２のユニット化が可能となり、取り扱いが容易となる。
【００３０】
また、支持部材７の上板部７ｆが棚板５の上面とほぼ面一となるため、棚板５に書籍１５の出し入れに際し、支持部材７が邪魔にならず、かつ支持部材７を棚板５の一部としても利用できることになる。
【００３１】
また、ストッパー部９が高摩耗部材で構成されていることにより、例え何らかの原因で、感震時に棚板５上面における効果的な位置までストッパー部９が突出できなかったとしても、ストッパー部９の摩擦力で書籍１５の落下を効果的に阻止できることになる。
【００３２】
次に、実施例１における落下防止装置の変形例について図６を用いて説明する。図６（ａ）に示されるように、本変形例の落下防止装置１’は、前記実施例の落下防止装置を水平方向に１８０度回転させて棚板５の前面に取付けられたものである。したがって、本変形例では、前記実施例における前面部が基板部７ａ’となっており、図示しないボルト等で棚板５の前面に取付けられているとともに、前記実施例における基板部が前面部７ｅ’となっており、支持部材７’の前面に配置されている。
【００３３】
更に、上板部７ｆ’は、基板部７ａ’の上端部から前面部７ｅ’に向けて上板部７ｆ’が前記所定の長さ延設されており、この上板部７ｆ’の前端部から底面部７ｄ’に向けて鉛直部７ｇ’が前記所定の長さ延設されている。すなわち、鉛直部７ｇ’は、支持部材７’の前面側に位置するようになっており、これ等前面部７ｅ’及び鉛直部７ｇ’が本変形例における前後１対のガイド部となっている。また、前面部７ｅ’及び鉛直部７ｇ’との間にストッパー部９が鉛直方向に案内された状態で配設されている。そして、回転軸８’は、前面部７ｅ’側に伝達部１３’が固着されているとともに、基板部７ａ’側にウエイト部１０’が固着されている。
【００３４】
図６（ｂ）に示されるように、地震等により落下防止装置１’に所定以上の振動が伝わると、ウエイト部１０’が後方側に倒れて回転軸８’に回転トルクを与える。この回転軸８’の回転トルクにより、伝達部１３’の端部１３ａ’がストッパー部９の下端面９ａを押圧し、支持部材７’の前方側に配設されたストッパー部９を鉛直方向に押し上げる。
【００３５】
このように、ストッパー部９が支持部材７’の前方側から棚板５上面より上方に突出するようになっているため、地震により前面側に移動しようとする書籍１５をストッパー部９が同方向へ移動しながら規制することになり、書籍１５がストッパー部９に規制されるまでの距離を稼ぐことができ、地震時の書籍１５の落下防止能力が向上する。
【実施例２】
【００３６】
次に、実施例２に係る落下防止装置１１につき、図７を参照して説明する。尚、前記実施例と同一構成で重複する説明を省略する。
【００３７】
図７（ａ）に示されるように、ストッパー部１９の下端面１９ａと伝達部１１３の端部１１３ａとの間には、ヒンジ４０が配設されており、このヒンジ４０を軸にストッパー部１９及び伝達部１１３が周方向に回動可能に接続されている。また、前記実施例と同様に、このストッパー部１９は、基板部７ａ及び鉛直部７ｇによって鉛直方向に案内された状態となっている。
【００３８】
次いで図７（ｂ）に示されるように、地震等により落下防止装置１１に所定以上の振動が伝わると、ウエイト部１１０が前方側に倒れて回転軸１８に回転トルクを与え、この回転軸１８の回転トルクは、伝達部１１３の端部１１３ａからヒンジ４０を介してストッパー部１９の下端面１９ａに直接伝わるようになる。そのため、比較的弱い回転軸１８の回転トルクであってもストッパー部１９が十分に移動することができる。
【実施例３】
【００３９】
次に、実施例３に係る落下防止装置２１につき、図８を参照して説明する。尚、前記実施例と同一構成で重複する説明を省略する。
【００４０】
図８（ａ）に示されるように、支持部材１７の基板部１７ａにおけるストッパー部２９との対向面には、鉛直方向に延びるレール１７ｊが形成されている。また、ストッパー部２９は、当該レール１７ｊと対応する凹溝２９ｂが形成されており、レール１７ｊに凹溝２９ｂが遊嵌されることでレール１７ｊに沿って移動可能になっている。本実施例においては、基板部１７ａのレール１７ｊが本発明におけるガイド部を構成している。また、ストッパー部２９における回転軸２８との対向面には、複数の凹部が鉛直方向に所定間隔離間して配設された被噛合部２９ａが形成されている。さらに、回転軸２８には、径方向に突設する複数の凸部が周方向に所定間隔離間して配設された本発明の伝達部である噛合部２１３が形成されており、噛合部２１３は被噛合部２９ａに噛合した状態となっている。
【００４１】
次いで図８（ｂ）に示されるように、地震等により落下防止装置２１に所定以上の振動が伝わると、ウエイト部２１０が前方側に倒れて回転軸２８に回転トルクを与え、この回転軸２８の回転トルクが噛合部２１３を介して被噛合部２９ａに直接伝わり、噛合部２１３及び被噛合部２９ａの噛合によりストッパー部２９がレール１７ｊに沿って鉛直方向に移動するようになる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、落下防止装置１が棚板５の前面に取付けられていたが、これに限られず、例えば、落下防止装置が棚板の前縁側に一体に形成されてもよく、落下防止装置は、棚板の前方側に設けられるものであればよい。
【００４４】
また、落下防止装置１は、ボルト等で棚板５の前面に着脱可能に設けられていたが、予め棚板の前面に溶接などで固着されていてもよいし、落下防止装置と棚板とに係合可能な部位を設け、相互に係合させて取付けてもよい。
【００４５】
また、支持部材７は、基板部７ａ、底面部７ｄ、前面部７ｅ、上板部７ｆ及び鉛直部７ｇから形成される部材の両端に側板部７ｂ，７ｂを取付けて構成されていたが、例えば、基板部、底面部及び側板部から成る部材と、前面部、上板部及び鉛直部から成る部材と、を組み合わせることで支持部材を形成するようにしてもよいし、更に複数に分割される構造でもよい。
【符号の説明】
【００４６】
１                落下防止装置
２                物品収納棚
５                棚板
７，７’          支持部材（筐体）
７ａ              基板部（ガイド部）
７ｅ’            前面部（ガイド部）
７ｇ，７ｇ’      鉛直部（ガイド部）
８，８’          回転軸
９                ストッパー部
１０，１０’      ウエイト部
１１              落下防止装置
１２              ストッパー部材
１３，１３’      伝達部
１５              書籍
１７              支持部材（筐体）
１７ａ            基板部
１８              回転軸
１９              ストッパー部
２１              落下防止装置
２８              回転軸
２９              ストッパー部
２９ａ            被噛合部
４０              ヒンジ
１１０            ウエイト部
１１３            伝達部
２１０            ウエイト部
２１３            噛合部（伝達部）
【図１】
2014068997.tif 000003
【図２】
2014068997.tif 000004
【図３】
2014068997.tif 000005
【図４】
2014068997.tif 000006
【図５】
2014068997.tif 000007
【図６】
2014068997.tif 000008
【図７】
2014068997.tif 000009
【図８】
2014068997.tif 000010